(57)【特許請求の範囲】
【請求項１】
外周端面(33)に４つの円弧状部(34)を有する円形若しくは楕円状の振動板(３)を具えて該振動板(３)を磁気回路により駆動することによって音波を発生するスピーカ本体(100)と、該スピーカ本体(100)の音波発生方向に開口(15)を有してスピーカ本体(100)を収容する合成樹脂製のフレーム(１)とから構成されるスピーカユニットにおいて、
前記フレーム(１)には、前記スピーカ本体(100)を包囲してスピーカ本体(100)を位置決めするための４つの係合受け片(10)が、前記振動板(３)の外周端面(33)に外接する四角形Ｔの４つの角部の内側にそれぞれ突設され、各係合受け片(10)には、前記振動板(３)の外周端面(33)の円弧状部(34)に接触すべき内側面(11)と、フレーム(１)が取り付けられるべき相手部材と接触すべき外側面(12)とが形成されていることを特徴とするスピーカユニット。
【請求項２】
前記係合受け片(10)の内側面(11)は平面状若しくは円弧状凹面に形成されると共に、外側面(12)はＬ字状凸面に形成されている請求項１に記載のスピーカユニット。
【請求項３】
バッフル(８)の内部にスピーカユニットを取り付ける構造であって、該スピーカユニットは、外周端面(33)に４つの円弧状部(34)を有する円形若しくは楕円状の振動板(３)を具えて該振動板(３)を磁気回路により駆動することによって音波を発生するスピーカ本体(100)と、該スピーカ本体(100)の音波発生方向に開口を有してスピーカ本体(100)を収容する合成樹脂製のフレーム(１)とから構成されるスピーカユニットの取り付け構造において、
前記スピーカユニットのフレーム(１)には、前記スピーカ本体(100)を包囲してスピーカ本体(100)を位置決めするための４つの係合受け片(10)が、前記振動板(３)の外周端面(33)に外接する四角形Ｔの４つの角部の内側にそれぞれ突設され、各係合受け片(10)には、前記振動板(３)の外周端面(33)の円弧状部(34)に接触すべき内側面(11)と、前記バッフル(８)の内部に形成された取り付け基準面と接触すべき外側面(12)とが形成されていることを特徴とするスピーカユニットの取り付け構造。
【請求項４】
前記バッフル(８)の内部には、前記スピーカユニットを包囲してスピーカユニットを位置決めするための４つの係合片(81)が突設され、各係合片(81)の内側面
(82)が前記取り付け基準面を形成している請求項３に記載のスピーカユニットの取り付け構造。
【請求項５】
係合片(81)が、前記振動板(３)の外周端面(33)に外接する四角形Ｔの４つの角部の内側にそれぞれ配置されている請求項４に記載のスピーカユニットの取り付け構造。
【請求項６】
前記フレーム(１)の係合受け片(10)の内側面(11)は平面状若しくは円弧状凹面に形成されると共に、外側面(12)はＬ字状凸面に形成され、前記バッフル(８)の係合片(81)の内側面(82)は、前記係合受け片(10)の外側面(12)と密着可能なＬ字状凹面に形成されている請求項４又は請求項５に記載のスピーカユニットの取り付け構造。
【発明の詳細な説明】
【技術分野】
【０００１】
本発明は、パーソナルコンピュータ、携帯電話機等の小型電子機器に配備されるスピーカユニット、及びスピーカユニットの取り付け構造に関するものである。
【背景技術】
【０００２】
図８に示す様に、従来のスピーカユニットは、合成樹脂製のフレーム(60)内にスピーカ本体を収容して構成されており、該スピーカ本体は、マグネット(６)と、マグネット(６)の両極面に配置されたポールピース(７)及びヨーク(５)とを具え、ポールピース(７)とヨーク(５)との間に、ボイスコイル(９)が配置されている。
【０００３】
フレーム(60)は、スピーカ装置の音波発生方向に開口(65)を有し、該開口(65)は、振動壁(20)により塞がれている。図６に示す様に、該振動壁(20)は、リング状の振動板(３)と該振動板(３)の開口を塞ぐダストプルーフ(４)とから構成されている。振動板(３)は楕円状の外形を呈し、振動板(３)の外周端面(33)は４つの円弧状部(34)を有している。
【０００４】
図８に示す様に、フレーム(60)の開口(65)を囲む先端部(64)は、外周側が内周側よりも突出しており、フレーム(60)の先端部(64)には、振動板(３)の外周端面(33)を全周に亘って包囲する縁部(61)が形成されている。
振動板(３)の外周端面(33)は、全周に亘ってフレーム(60)の先端部(64)の縁部(61)の内側面に接触しており、これによって、振動板(３)がフレーム(60)に対して位置決めされている。
【０００５】
図６に示す様に、フレーム(60)には略三角形の平板状を呈する４つのガイド部(63)が形成され、これらのガイド部(63)の外周面は、振動板(３)の外周端面(33)を包囲するフレーム(60)に外接する四角形の４辺に沿って伸びており、各ガイド部(63)には貫通孔(62)が開設されている。
【０００６】
上記スピーカユニットは、図７に示すバッフル(70)に収容された状態でパーソナルコンピュータ等の電子機器に配備される。バッフル(70)は、電子機器に配備された状態で前面を向く前面部(73)を具え、該前面部(73)は開口(71)を有し、該開口(71)に前記スピーカユニットのヨーク(５)が挿入される。
【０００７】
又、バッフル(73)の前面部(73)には、前方に向けて突出した４つの位置決めピン(72)が形成されている。そして各位置決めピン(72)が前記スピーカユニットのフレーム(60)の貫通孔(62)に嵌入されることによって、スピーカユニットのバッフル(70)に対する位置が決められている(例えば特許文献１)。
【特許文献１】特開平９−６５４８５号公報
【発明の開示】
【発明が解決しようとする課題】
【０００８】
近年の電子機器の小型化に伴って、バッフル(70)も小型化し、小型のバッフルに収容可能な小型のスピーカユニットの開発が望まれている。
しかしながら、スピーカユニットを小型化するために振動板(３)を小型化すると、音質が低下してしまう。振動板(３)を小型化することなく、フレーム(60)を小型化することによりスピーカユニットの小型化を図ることも出来るが、従来のスピーカユニットにおいては、フレーム(60)のガイド部(63)に貫通孔(62)の大きさを確保する必要があるので、フレーム(60)の小型化には限界があり、バッフルの小型化に対応出来ない問題があった。
【０００９】
そこで、本発明の目的は、小型のバッフルに収容可能なスピーカユニットとその取り付け構造を提供することである。
【課題を解決するための手段】
【００１０】
本発明に係るスピーカユニットは、外周端面(33)に４つの円弧状部(34)を有する円形若しくは楕円状の振動板(３)を具えて該振動板(３)を磁気回路により駆動することによって音波を発生するスピーカ本体(100)と、該スピーカ本体(100)の音波発生方向に開口(15)を有してスピーカ本体(100)を収容する合成樹脂製のフレーム(１)とから構成されている。
【００１１】
前記フレーム(１)には、前記スピーカ本体(100)を包囲してスピーカ本体(100)を位置決めするための４つの係合受け片(10)が、前記振動板(３)の外周端面(33)に外接する四角形Ｔの４つの角部の内側にそれぞれ突設されている。
【００１２】
各係合受け片(10)には、前記振動板(３)の外周端面(33)の円弧状部(34)に接触すべき内側面(11)と、フレーム(１)が取り付けられるべき相手部材と接触すべき外側面(12)とが形成されている。
【００１３】
上記本発明のスピーカユニットにおいては、振動板(３)をフレーム(１)に対して位置決めするための係合受け片(10)が、スピーカユニットを相手部材に対して位置決めする役割も兼ねている。
【００１４】
係合受け片(10)は、振動板(３)の周囲の一部のみに設けられており、更に、係合受け片(10)には相手部材に対してスピーカユニットを位置決めするための貫通孔を設ける必要がないので、係合受け片(10)の小型化を図ることが出来る。
従って、フレーム(１)の小型化によるスピーカユニットの小型化が可能であり、スピーカユニットを小型の相手部材に収容することが出来る。
【００１５】
具体的構成において、前記係合受け片(10)の内側面(11)は平面状若しくは円弧状凹面に形成されると共に、外側面(12)はＬ字状凸面に形成されている。
【００１６】
該具体的構成においては、係合受け片(10)の外側面(12)の互いに交叉する２つの面領域が相手部材と接触することになる。
【００１７】
本発明に係るスピーカユニットの取り付け構造は、バッフル(８)の内部にスピーカユニットを取り付ける構造であって、該スピーカユニットは、外周端面(33)に４つの円弧状部(34)を有する円形若しくは楕円状の振動板(３)を具えて該振動板(３)を磁気回路により駆動することによって音波を発生するスピーカ本体(100)と、該スピーカ本体(100)の音波発生方向に開口を有してスピーカ本体(100)を収容する合成樹脂製のフレーム(１)とから構成される。
【００１８】
前記スピーカユニットのフレーム(１)には、前記スピーカ本体(100)を包囲してスピーカ本体(100)を位置決めするための４つの係合受け片(10)が、前記振動板(３)の外周端面(33)に外接する四角形Ｔの４つの角部の内側にそれぞれ突設されている。
【００１９】
又、各係合受け片(10)には、前記振動板(３)の外周端面(33)の円弧状部(34)に接触すべき内側面(11)と、前記バッフル(８)の内部に形成された取り付け基準面と接触すべき外側面(12)とが形成されている。
【００２０】
上記本発明のスピーカユニットの取り付け構造においては、振動板(３)をフレーム(１)に対して位置決めするための係合受け片(10)が、スピーカユニットをバッフル(８)に対して位置決めする役割も兼ねている。
【００２１】
係合受け片(10)は、振動板(３)の周囲の一部のみに設けられており、更に、係合受け片(10)にはバッフル(８)に対してスピーカユニットを位置決めするための貫通孔を設ける必要がないので、係合受け片(10)の小型化を図ることが出来る。
従って、フレーム(１)の小型化によるスピーカユニットの小型化が可能であり、スピーカユニットを小型のバッフル(８)に収容することが出来る。
【００２２】
具体的構成において、前記バッフル(８)の内部には、前記スピーカユニットを包囲してスピーカユニットを位置決めするための４つの係合片(81)が突設され、各係合片(81)の内側面(82)が前記取り付け基準面を形成している。
【００２３】
該具体的構成においては、フレーム(１)の係合受け片(10)の外側面(12)がバッフル(８)の係合片(81)の内側面(82)に接触することによって、スピーカユニットのバッフル(８)に対する位置合わせが行なわれる。
【００２４】
更に具体的な構成において、係合片(81)が、前記振動板(３)の外周端面(33)に外接する四角形Ｔの４つの角部の内側にそれぞれ配置されている。
【００２５】
該具体的構成においては、係合受け片(10)及び係合片(81)によって、他部品をスピーカユニットの近傍に配置することが阻害されないので、スピーカユニットを含む部品を高密度実装することが出来る。
【００２６】
更に具体的構成において、前記フレーム(１)の係合受け片(10)の内側面(11)は平面状若しくは円弧状凹面に形成されると共に、外側面(12)はＬ字状凸面に形成され、前記バッフル(８)の係合片(81)の内側面(82)は、前記係合受け片(10)の外側面(12)と密着可能なＬ字状凹面に形成されている。
【００２７】
該具体的構成においては、係合受け片(10)の外側面(12)の互いに交叉する２つの面領域が相手部材と接触することになる。
【発明の効果】
【００２８】
本発明のスピーカユニットとその取り付け構造においては、フレームによって占有される領域が従来よりも狭く、スピーカユニットを小型の相手部材に収容することが出来る。
【発明を実施するための最良の形態】
【００２９】
以下、本発明の実施の形態につき、図面に沿って具体的に説明する。図１〜図５は、本発明に係るスピーカユニットを示している。
【００３０】
図２に示す様に、合成樹脂製のフレーム(１)内には、スピーカ本体(100)が収容されている。スピーカ本体(100)は、マグネット(６)と、該マグネット(６)の両極面に配置されたポールピース(７)及びヨーク(５)とを具えている。
【００３１】
ヨーク(５)は、円形の底部(50)と該底部(50)の外周縁から突出した筒部(51)とが一体に形成された有底筒状を呈している。
【００３２】
ヨーク(５)内にはマグネット(６)が収容されており、マグネット(６)の一極面がヨーク(５)の底部(50)上に配置されている。マグネット(６)の他極面上には、ポールピース(７)が配置されている。ヨーク(５)の筒部(51)はポールピース(７)を包囲しており、ポールピース(７)の外周面とヨーク(５)の筒部(51)の内周面とが互いに対向して環状の空隙Ｓが形成され、該空隙Ｓに磁界が形成される。
【００３３】
ボイスコイル(９)は、円筒状のコイル芯(92)と、該コイル芯(92)の外周面に巻回されたコイル片(91)から構成されており、ボイスコイル(９)のコイル片(91)は、ヨーク(５)とポールピース(７)の間の空隙Ｓに配置されている。又、ボイスコイル(９)に電力を供給するための一対のリード線(90)(90)は、ボイスコイル(９)からフレーム(１)の外側に引き出されている。  
【００３４】
図５に示す様に、フレーム(１)の開口(15)は振動壁(20)によって塞がれている。振動壁(20)は、リング状の振動板(３)と、該振動板(３)の開口を塞いで振動板(３)に連結されたダストプルーフ(４)とから構成されている。振動板(３)は、長方形の両側に半円を連結した楕円状の外形を有し、該振動板(３)の外周端面(33)は、４つの円弧状部(34)を有している。
【００３５】
図３に示す様に、フレーム(１)は、底壁(17)と周壁(18)とが一体に形成された有底筒状を呈している。フレーム(１)の周壁(18)は、楕円状の外形を有し、底壁(17)の外周縁の全周から垂直に突出している。フレーム(１)の周壁(18)は、底壁(17)から周壁(18)の先端部(16)に向けて短径寸法が拡大される様に傾斜する一対の傾斜部(19)(19)を有し、該傾斜部(19)(19)は、周壁(18)の短径方向に互いに対向する位置に設けられている。
【００３６】
振動板(３)の外形は、フレーム(１)の周壁(18)の外形と略同じであり、振動板(３)の外周部(32)は、リング体(２)とフレーム(１)の周壁(18)の先端部(16)との間に挟持されてフレーム(１)に固定されている。又、振動板(３)の内周部(31)には、ボイスコイル(９)のコイル芯(92)が連結されている。
【００３７】
図３に示す様に、フレーム(１)の底壁(17)の中央には、円形の貫通孔(14)が開設されており、該貫通孔(14)は、スピーカ本体(100)のヨーク(５)により塞がれている。図２に示す様に、ヨーク(５)の底部(50)はフレーム(１)の貫通孔(14)から外側に突出しており、ヨーク(５)の筒部(51)の外周面とフレーム(１)の貫通孔(14)の内周面とが互いに密着した状態で、ヨーク(５)がフレーム(１)に固定されている。
【００３８】
図３に示す様に、フレーム(１)の周壁(18)の外表面には、三角柱状の４つの係合受け片(10)〜(10)が突設されている。
【００３９】
図５に示す様に、４つの係合受け片(10)〜(10)は、振動板(３)の外周端面(33)を包囲しており、各係合受け片(10)は、振動板(３)の外周端面(33)に外接する四角形Ｔの４つの角部の内側にそれぞれ配置されている。
【００４０】
図４に示す様に、各係合受け片(10)は、フレーム(１)の周壁(18)の外表面に連結された平面状の内側面(11)と、Ｌ字状の凸面に形成された外側面(12)とを有している。又、各係合受け片(10)は、フレーム(１)の周壁(18)の先端部(16)から垂直に突出した先端を有し、各係合受け片(10)の他端は周壁(18)の先端部(16)の近傍まで伸びている。
【００４１】
図５に示す様に、振動板(３)の外周端面(33)の各円弧状部(34)は、それぞれ係合受け片(10)の内側面(11)に接触し、これによって、振動板(３)がフレーム(１)に対して位置決めされている。
【００４２】
振動板(３)がフレーム(１)に対して位置決めされることによって、図２に示す様に、ボイスコイル(９)のコイル片(91)がポールピース(７)とヨーク(６)の筒部(51)との間の空隙Ｓに配置される。そして、ボイスコイル(９)に電力が供給されると、ボイスコイル(９)が振動し、これに伴って振動壁(20)が振動して音波が発生する。
【００４３】
上記スピーカユニットは、図１に示す様に、合成樹脂製のバッフル(８)内に収容された状態でパーソナルコンピュータ等の電子機器に配備される。バッフル(８)は、図３に示す様に、電子機器に配備された場合に前面を向く前面部(86)と、該前面部(86)から後方に突出した中間部(87)と、該中間部(87)から突出して背面側に配置される背面部(84)とを有し、前面部(86)、中間部(87)及び背面部(84)に囲まれた空間内に前記スピーカユニットが収容される。
【００４４】
図１に示す様に、バッフル(８)の前面部(86)には開口(85)が設けられている。該開口(85)は、スピーカユニットの振動板(３)の外形と略同じ楕円状に形成されており、スピーカユニットの振動板(３)はバッフル(８)の開口(85)から露出している。
【００４５】
図１に示す様に、バッフル(８)の前面部(86)の内表面には、Ｌ字状の４つの係合片(81)〜(81)が突設されている。４つの係合片(81)〜(81)は、振動板(３)の外周端面(33)を包囲しており、各係合片(81)は、振動板(３)の外周端面(33)に外接する四角形Ｔの４つの角部の内側にそれぞれ配置されている。
【００４６】
図４に示す様に、各係合片(81)の振動板(３)側を向く内側面(82)は、Ｌ字状凹面に形成されている。バッフル(８)の各係合片(81)の内側面(82)には、スピーカユニットの係合受け片(10)の外側面(12)が接触しており、これによってスピーカユニットがバッフル(８)に対して位置決めされている。この結果、スピーカユニットは、図１に示す様に、バッフル(８)の４つの係合片(81)〜(81)の内側面(82)〜(82)により囲まれる四角形の内側で、ガタツキなくバッフル(８)に保持されている。
【００４７】
本発明のスピーカユニットにおいては、振動板(３)をフレーム(１)に対して位置決めする４つの係合受け片(10)〜(10)が、スピーカユニットをバッフル(８)に対して位置決めする役割も兼ねている。
【００４８】
スピーカユニットの４つの係合受け片(10)〜(10)は、振動板(３)の周囲の一部のみに設けられており、更に、各係合受け片(10)には、バッフル(８)に対してスピーカユニットを位置決めするための貫通孔を設ける必要がないので、係合受け片(10)の小型化を図ることが出来る。
従って、フレーム(１)の小型化によるスピーカユニットの小型化が可能であり、スピーカユニットを小型のバッフル(８)に収容することが出来る。
【００４９】
又、フレーム(１)の４つの係合受け片(10)〜(10)とバッフル(８)の４つの係合片(81)〜(81)は、振動板(３)の外周端面(33)に外接する四角形Ｔの内側に配置されているので、係合受け片(10)及び係合片(81)によって、他部品をスピーカユニットの近傍に配置することが阻害されない。
【００５０】
更に、スピーカユニットの近傍に配置された他部品の一部分を前記四角形Ｔの内側に配置することも出来るので、スピーカユニットを含めた実装部品の高密度実装による電子機器の小型化を図ることが出来る。
【００５１】
(実施例)
図５に示す様に、振動板(３)は、楕円状の外形の長径寸法Ａと短径方向Ｂをそれぞれ２０.０ｍｍ、１４.０ｍｍとして形成されている。
係合受け部(10)は、振動板(３)の外周端面(33)に沿った内側面(11)の幅寸法ｄを０.５ｍｍとして形成されている。又、振動板(３)の外形を形成する半円の中心と係合受け片(10)の外側面(12)の角部とを通る直線は、振動板(３)の外形の長径方向となす角度θを４５°に設定されている。
【００５２】
一方、図６に示す従来のスピーカユニットによれば、上記実施例のスピーカユニットと同じ振動板(３)を用いた場合にも、フレーム(60)の縁部(61)が振動板(３)の外周端面(33)を全周に亘って包囲しているので、振動板(３)を含む平面形状の大きさは、長辺寸法Ａ’が２１.５ｍｍ、短辺寸法Ｂ’が１５.５ｍｍとなる。
【００５３】
この様に、図５に示す実施例のスピーカユニットでは、従来例のスピーカユニットに比べて、スピーカユニットの振動板(３)の寸法を変えることなく、即ち音質の低下を招くことなく、振動板(３)の外形の長径方向と短径方向に、それぞれ１.５ｍｍ短縮することが可能である。
【００５４】
尚、本発明の各部構成は上記実施の形態に限らず、特許請求の範囲に記載の技術的範囲内で種々の変形が可能である。例えば、係合受け片(10)の内側面(11)は円弧状に形成してもよい。又、係合受け片(10)の内側面(11)が振動板(３)の外周端面(33)の円弧状部(34)に接触する限り、振動板(３)に対する係合受け片(10)の位置を変更することも可能である。
【図面の簡単な説明】
【００５５】
【図１】本発明のスピーカユニットがバッフルに収容された状態を示す平面図である。
【図２】本発明のスピーカユニットがバッフルに収容された状態を示す断面図である。
【図３】本発明のスピーカユニットとバッフルの分解斜視図である。
【図４】本発明のスピーカユニットの要部を拡大した斜視図である。
【図５】本発明のスピーカユニットの平面図である。
【図６】従来のスピーカユニットがバッフルに収容された状態を示す平面図である。
【図７】従来のスピーカユニットが収容されるバッフルの平面図である。
【図８】従来のスピーカユニットの断面図である。
【符号の説明】
【００５６】
(１)  フレーム
(10)  係合受け片
(11)  内側面
(12)  外側面
(15)  開口
(20)  振動壁
(３)  振動板
(33)  外周端面
(34)  円弧状部
(８)  バッフル
(81)  係合片
(82)  内側面
(85)  開口
(86)  前面部
(９)  ボイスコイル
(100)  スピーカ本体
【図１】
0004592606.tif 000002
【図２】
0004592606.tif 000003
【図３】
0004592606.tif 000004
【図４】
0004592606.tif 000005
【図５】
0004592606.tif 000006
【図６】
0004592606.tif 000007
【図７】
0004592606.tif 000008
【図８】
0004592606.tif 000009